(57)【要約】  本発明は、情報提示装置と、このような情報提示装置を含む携帯用電子装置とを対象とするものである。情報提示装置（１６）は、特定の波長の光により照射されると見た目を変化させる写真着色材料から成る第１の情報提示構造（２０）を有する第１の情報層（１８）と、第２の情報提示構造（２４）を有する第２の情報層（２２）と、第２の情報提示構造を提示するために第２の情報層を照明する第１の光源（２６）と、を備え、第１の情報層は、該第１の情報層が前記特定の波長の光に露光されない場合に少なくとも第１の光源から発する光を透過させる材料により構成されている。
2009511971.tif 000002
【特許請求の範囲】
【請求項１】
特定の第１の波長の光（２８）により照射されると見た目を変化させる写真着色材料から成る第１の情報提示構造（２０）を備えた第１の情報層（１８）であって、前記第１の情報提示構造を提示するために前記写真着色材料が見た目を変化させた場合に活性化状態になり、そうでない場合には、前記第１の情報提示構造が提示されず、通常の状態になる第１の情報層（１８）と、
第２の情報提示構造（２４）を備えた第２の情報層（２２）と、
前記第１の情報層（１８）を介して前記第２の情報提示構造を提示するための、前記第２の情報層を照明する第１の光源（２６）と、を備え、
前記第１の情報層は、前記通常の状態にあるときに少なくとも前記第１の光源から発する光を透過させる材料により構成されていることを特徴とする情報提示装置（１６）。
【請求項２】
前記第１の情報層が前記活性化状態になると、前記第１の情報提示構造（２０）は色を変化させることを特徴とする請求項１に記載の情報提示装置。
【請求項３】
前記第１の情報層は前記特定の第１の波長の光も透過させることを特徴とする請求項１又は請求項２に記載の情報提示装置。
【請求項４】
前記第１と第２の情報層の間に設けられ、前記第２の情報層から到来する光を透過し、かつ、前記第１の情報層から到来する光を反射する半反射層（３２）をさらに備えることを特徴とする請求項３に記載の情報提示装置。
【請求項５】
前記第１の情報層は前記特定の第１の波長を有する光を透過しないことを特徴とする請求項１又は請求項２に記載の情報提示装置。
【請求項６】
特定の波長を有する光によって照射されると見た目を変化させる写真着色材料から成る情報提示構造（２０；３４）を有する少なくとも１つの情報層（１８；３６）を、前記特定の波長を有する光を含む光を照明する第２の光源（３８）をさらに備えることを特徴とする請求項１乃至５のいずれか１項に記載の情報提示装置。
【請求項７】
前記第１と第２の情報層の間に設けられた層（３６）であって、特定の第２の波長を有する光によって照射されると見た目を変化させる写真着色材料から成る第３の情報提示構造（３４）を有する層（３６）を提示する第３の情報層をさらに備えた情報提示装置であって、前記第２の光源は前記第３の情報層へ向けられた光源であることを特徴とする請求項６に記載の情報提示装置。
【請求項８】
携帯用電子装置に情報を入力するために配設された少なくとも１つのキー（１６）の中に設けられることを特徴とする請求項１乃至７のいずれか１項に記載の情報提示装置。
【請求項９】
好適には液晶表示装置であることが望ましい表示装置であることを特徴とする請求項１乃至７のいずれか１項に記載の情報提示装置。
【請求項１０】
情報提示装置を備えた携帯用電子装置であって、
特定の第１の波長の光（２８）により照射されると見た目を変化させる写真着色材料から成る第１の情報提示構造（２０）を備えた第１の情報層（１８）であって、前記第１の情報提示構造を提示するために前記写真着色材料が見た目を変化させた場合に活性化状態になり、そうでない場合には、前記第１の情報提示構造が提示されず、通常の状態になる第１の情報層（１８）と、
第２の情報提示構造（２４）を備えた第２の情報層（２２）と、
前記第２の情報提示構造を前記第１の情報層を介して提示するために前記第２の情報層を照明するための第１の光源（２６）と、を備え、
前記第１の情報層は、前記通常の状態にあるときに少なくとも前記第１の光源から発する光を透過させる材料により構成されていることを特徴とする携帯用電子装置。
【請求項１１】
前記装置は携帯通信装置であることを特徴とする請求項１０に記載の携帯用電子装置。
【請求項１２】
前記装置はセルラ電話機であることを特徴とする請求項１１に記載の携帯用電子装置。
【発明の詳細な説明】
【技術分野】
【０００１】
本発明は、携帯用電子装置の技術分野に関し、特に、携帯用電子装置の提供、並びに、情報提示装置等を含む携帯用電子装置の提供及び携帯用電子装置に対する情報提示装置の提供に関するものである。
【背景技術】
【０００２】
セルラ電話機のような携帯通信装置などの携帯用電子装置において、装置のユーザに情報を表示するために光源の利用が広く普及している。この光源は、典型的には、キーパッドのキー上に提供される情報、あるいは表示装置上に提供される情報の表示に関連して使用される。キーの場合、光源はキーに関係する記号又はアイコンを示す情報層を照明する。しかし、装置が携帯可能であるため、装置は戸外で使用される頻度が高く、戸外では日光のような多量の周辺光がキーの情報提示面上へ降り注ぐことになる。この場合、光源からの照明にもかかわらず、照明された情報層を適切に知覚することが不可能となることが多い。多くの異なる情報構造群が存在する場合、これらの構造は互いに重ね合わせて構成されるため、提示されるべき構造を知覚することが一層難しくなる。したがって、多くの周辺光が存在するときにも、情報を知覚したいという要望が存在する。
【０００３】
同時に、写真着色材料の上へ降り注ぐ、着色層を動作させる波長を含む光に起因して、見た目を変える写真着色材料が出現している。これらの材料はサングラスや繊維のような他の用途に対して用いるものとして知られている。
【０００４】
米国特許２００５／０１５６０４８は、ＩＤカード及びクレジットカードのような身分証明書の安全対策のために上記のような材料を利用することについて記載している。当該米国特許では上記材料は透かしを提示するために用いられる。
【０００５】
したがって、情報を提示するために光源を使用する情報提示装置であって、少なくとも特定の波長で多量の周辺光が存在するときでも情報を提示できる情報提示装置の提供が求められている。
【発明の開示】
【発明が解決しようとする課題】
【０００６】
本発明は情報を提示するための光源を使用する情報提示装置であって、少なくとも特定の波長で多量の周辺光が存在するときでも情報を提示できる情報提示装置を提供するという問題を解決するものである。
【０００７】
したがって、本発明の１つの目的は、情報を提示するための光源を使用する情報提示装置であって、多量の周辺光が存在するときでも、少なくとも特定の波長で情報を提示することができる情報提示装置を提供することである。
【課題を解決するための手段】
【０００８】
本発明の第１の側面によれば、上記目的は、
特定の第１の波長の光により照射されたとき見た目を変化させる写真着色材料から成る第１の情報提示構造を有する第１の情報層であって、前記写真着色材料が見た目を変化させた場合に活性化状態になり、そうでない場合には、通常の状態になる第１の情報層と、
第２の情報提示構造を有する第２の情報層と、
第２の情報提示構造を提示するために第２の情報層を照明する第１の光源と、を備え、
前記第１の情報層は、通常の状態にあるときに、少なくとも第１の光源から発する光を透過させる材料により構成されていることを特徴とする情報提示装置によって達成される。
【０００９】
本発明の第２の側面は、第１の側面の特徴を含む情報提示装置を対象とするものであり、第２の情報層が、第２の情報提示構造を提示するために第１の情報層を介して配置される。
【００１０】
本発明の第３の側面は、第１の側面の特徴を含む情報提示装置を対象とするものであり、第１の情報層が活性化状態にあるとき、第１の情報提示構造は色を変化させる。
【００１１】
本発明の第４の側面は、第１の側面の特徴を含む情報提示装置を対象とするものであり、第１の情報層は前記第１の特定の波長の光も透過させる。
【００１２】
本発明の第５の側面は、第４の側面の特徴を含む情報提示装置であって、第１と第２の情報層の間にさらに設けられ、第２の情報層から到来する光を透過し、かつ、第１の情報層から到来する光を反射する半反射層を備える。
【００１３】
本発明の第６の側面は、第１の側面の特徴を含む情報提示装置を対象とするものであり、第１の情報層は前記特定の第１の波長を有する光を透過しない。
【００１４】
本発明の第７の側面は、第１の側面の特徴を含む情報提示装置であって、特定の波長を有する光によって照射されると見た目を変化させる写真着色材料から成る情報提示構造を有する少なくとも１つの情報層を、前記特定の波長を有する光を含む光で照明するための第２の光源をさらに備えた情報提示装置を対象とするものである。
【００１５】
本発明の第８の側面は、第７の側面の特徴を含む情報提示装置であって、特定の第２の波長を有する光によって照射されると見た目を変化させる写真着色材料から成る第３の情報提示構造を有する、第１と第２の情報層との間に設けられた第３の情報層をさらに備えた情報提示装置を対象とするものである。この場合、前記第２の光源は第３の情報層へ向けられることとなる。
【００１６】
本発明の第９の側面は、第１の側面の特徴を含む情報提示装置であって、情報を携帯用電子装置に対して入力するために配設された少なくとも１つのキーの中に設けられる情報提示装置を対象とするものである。
【００１７】
本発明の第１０の側面は、第１の側面の特徴を含む情報提示装置を対象とするものであり、該情報提示装置は、表示装置であって、かつ、液晶表示装置であることが望ましい。
【００１８】
本発明の別の目的は、情報を提示するための光源を使用する情報提示装置であって、多量の周辺光が存在するときにも、情報を提示することができる情報提示装置を有する携帯用電子装置を提供することである。
【００１９】
本発明の第１１の側面によれば、上記目的は、情報提示装置を備えた携帯用電子装置により達成され、該情報提示装置は、
特定の第１の波長の光により照射されると見た目を変化させる写真着色材料から成る第１の情報提示構造を備えた第１の情報層であって、写真着色材料が見た目を変化させた場合に活性化状態になり、そうでない場合には通常の状態になる第１の情報層と、
第２の情報提示構造を備えた第２の情報層と、
該第２の情報提示構造を提示するために前記第２の情報層を照明する第１の光源と、を備え、
第１の情報層は、通常の状態にあるときに少なくとも第１の光源から発する光を透過させる材料により構成されていることを特徴とする。
【００２０】
本発明の第１２の側面は、第１１の側面の特徴を含む携帯用電子装置であって、該携帯用電子装置は携帯通信装置である携帯用電子装置を対象とするものである。
【００２１】
本発明の第１３の側面は、第１２の側面の特徴を含む携帯用電子装置であって、該携帯用電子装置がセルラ電話機である携帯用電子装置を対象とするものである。
【００２２】
本発明は以下の利点を有する。第１と第２の情報提示構造が同一であれば、前記特定の波長を有する光が存在するとき、高い周辺光条件の中で提示される記号を示すことが可能となり、これによって戸外での装置の使用が容易になる。更に第１と第２の情報構造に提示される情報を互いに異なるようにすることが可能となる。このことを利用して、情報提示装置に関連づけられた異なる機能セットを異なる照度条件に対応して提供することが可能となる。本発明は、追加の電力を使用することなく第１の情報層において情報を提供をすることをさらに可能にする。本発明は実施がシンプルでかつ安価でもある。というのは、限られた数の要素しか必要としないからである。第５と第６の側面による本発明は、日光のような限定された周辺光が存在するときにも追加情報の提示が可能になるというさらなる利点を有する。
【００２３】
「第１の層が通常の状態にある」という表現は、特定の第１の波長を有する光によってこの層を照射することはできるが、層の少なくとも情報提示構造が見た目を変えるには、この波長の光では強度が十分ではないような状況をカバーすることを意図するものである。
【００２４】
本明細書で使用される場合、「備える／備えている（comprises/comprising）」という用語は、言及された特徴、整数、ステップ又は構成の存在を特定するために用いられるが、これら以外の特徴、整数、ステップ、構成、又はこれらのグループの存在又は追加を排除するものではない、という点を強調しておく。
【００２５】
添付図面を参照しながら本発明についてさらに詳細に説明する。
【発明を実施するための最良の形態】
【００２６】
本発明に係る携帯用電子装置について以下に説明する。携帯用電子装置はこのような装置の好適な変形例である。この携帯用電子装置は、コードレス電話、通信モジュール、ＰＤＡ又は電波で通信する他の任意のタイプの携帯用機器のような別のタイプの携帯通信装置であってもよい。上記携帯用電子装置は、ゲーム用マシーン、ノートパッドあるいは他の任意のタイプの携帯用電子装置であってもよい。
【００２７】
図１は本発明に準拠する電話の正面図を概略的に示す図である。電話１０は、表示装置１２と、本発明の説明に用いるキーとなるキー１６を含むキーパッド１４とを含む。通常、キーパッドは、複数のさらに多くのいくつかのキーを含み、本発明はそれらのキーのいくつか又はすべてにおいて実施可能である。ジョイスティックのようなナビゲーションユニットなどの別のタイプのユーザ入力ユニットや、別のタイプのボタン、並びに、液晶表示装置などの表示装置に対しても、更に同様に本発明を適用することが可能である。更に携帯用電子装置の装飾用に本発明を適用することも可能である。
【００２８】
図２は、本発明に準拠する情報提示装置１６の第１の実施形態にかかる構造の側面図を概略的に示す図である。上記装置は、外側にプラスチック材料等から成る第１の情報層１８を含む。第１の情報層１８には、特定の第１の波長の光によって照射されると見た目を変化させる写真着色材料から成る第１の情報提示構造２０が設けられている。この構造が占める領域は破線のボックスとして概略的に示されている。構造２０は、画素の形にすることを意図して不連続の点として示すことができる。あるいは、目に見える記号やアイコンを定義するために１つ以上の切れ目なく連続した形状から成るようにすることも可能である。これらの画素は、目に見える記号やアイコンを一体として形成することも可能である。プラスチック材料上へ写真着色インクをつけることによって、第１の構造を提供することができる。この図では、ボックス２０内の斜線で示された複数のボックスにより示されている。第１の情報層全体を、第１の波長を有する光により照射されたとき見た目を変えることができる写真着色材料から成るように構成してもよい。この場合、構造２０は、１つの色や微妙な違いを与えることができ、そして別の色や微妙な違いを残りの層に与えることができる。構造２４を提示する第２の情報が与えられる第２の情報層２２が、第１の情報層１８の下に設けられる。この構造は、斜線で示されたさらに小さなボックスで充たされた破線のボックスにより示されている。この構造は、その最も単純な形で、固定され、常に存在している。この構造は、画素の形をしていてもよいし、隣接したプラスチック材料で提供される切れ目なく連続した形状をしていてもよい。上記の構造は、例えば、プラスチック材料の中へ点字化することもできる。構造２４の色は層の残りの材料の色と対比するものであってもよい。しかし、この色は残りの材料の色と微妙に違う色にすることも可能である。第２の情報層２２は液晶の層であってもよい。その場合、この層により与えられた形状を変えることが可能となる。しかし、本発明のいくつかの実施形態では、携帯用電子装置のスイッチがオンになりさえすれば提示の対象となる何らかの情報を常に示すようにすることも可能である。装置のスイッチがオフになったとき、例えば、キーの中に設けられた場合などにおいては、何らかの情報を示すようにすることもまた可能である。第２の層２２の下に、好ましくは発光ダイオード等の第１の光源２６が設けられる。この光源２６は第２の情報層２２を照明するためのバックライティングを用いてもよい。第２の情報層２２は、キーパッドの中を延在しているが、１つのキーからの光が隣接するキーに達しないようにする手段を上記第２の情報層２２に与えることが可能であることが同図から理解できる。ダイオードから照明対象の個々のキーへ光をガイドするパネルを利用することによって、第１の光源２６を２つ以上のキーのためにさらに使用することができる。
【００２９】
本発明は、キー、キーパッド又はタッチ入力表示装置に限定されるわけではなく、情報を提示する対象となるいずれの表面においても上記キーパッド又はタッチ入力表示装置を使用できることが理解されよう。
【００３０】
本発明の第１の実施形態では、第１の情報層１８は、写真着色材料を活性化させる特定の第１の波長を有する光を含む周辺光は透過しないが、第１の光源２６によって放射された光は透過する。動作中、第１の光源２６は第２の情報層２２を照明し、それによって第１の情報層１８を通してキー１６を見ているユーザに第２の情報提示構造２４が提示される。
【００３１】
図３は、写真着色材料を活性化するために前記第１の特定の波長の光が十分でなく低い周辺光条件の方が優勢である場合の、第１の実施形態の第１の情報層１８及び第２の情報層２２の側面図を示す。これに対して、図４は、写真着色材料を活性化するために前記特定の第１の波長の光が十分であり高い周辺光条件の方が優勢である場合の第１と第２の情報層の側面図を示す。屋内又は戸外で電話を使用する場合、活性化波長を有する光がまったく存在しないか少量しか存在しないときには、光源により放射された光と比較して、低い周辺光条件の方が一般に優勢である。キー１６へ向かって放射される活性化波長を有する光を含む多量の日光が存在するとき、戸外においては基本的に高い周辺光条件が昼光の中で生じることになる。この時、光源により放射された光は基本的に日光によってシェイドアウトされ、その結果、第２の情報層２２が提供する情報をユーザが知覚できなくなる。
【００３２】
低い周辺光条件が存在する場合、第１の光源からの光３０の方が優勢になる。このことは、第２の情報層２２と第１の情報層１８の中を通って上方へ進む実線の矢印により示されている。これに対して、第１の層１８により反射される周辺光２８は、低い周辺光であり、点線の矢印により示されている。したがって、光源からの光３０が第２と第１の情報層の中を通り抜ける間、周辺光２８は第１の情報層１８から反射され、それによって情報２４をユーザへ提示することになる。第１の情報層１８はここで周辺光を透過しなくなる。すなわち周辺光は反射される。この例では周辺光の強度が低すぎるため、上記活性化波長で構造の色を変えたり、構造に薄い色をつけたりすることはできない。このことは、斜線が付されていないボックスを用いて第１の情報提示構造２０に示されている。
【００３３】
活性化波長を有する周辺光の強度が十分に高くなった状態で、第１の情報層１８の第１の構造２０に照射される周辺光２８は、第１の情報層１８内の写真着色材料に色を変えさせたり、薄い色をつけさせたりし、それによって今度は第１の構造２０が見えるようになる。同時に、第１の光源からの放射光３０よりも多量の反射光２８に起因して、第２の構造２４は、上にある第１の情報層１８からは見えなくなる。周辺光２８及びＬＥＤ光３０の異なる関係は、周辺光２８を表す実線の矢印と、第１の光源から出る光３０を表す点線の矢印とによって示される。第１の情報層における上記構造の起動は、斜線で示された第１の構造内のボックスにより示されている。
【００３４】
活性化波長を有する光の強さが十分に高くなって、上記のように写真着色材料の見た目を変化させた場合、本例では、第１の層はアクテイブな状態にあると規定される。そして、材料の形状が変わっていなければ、第１の層は通常の状態にあると規定される。したがって、第１の構造２０の中の写真着色材料の活性剤は、通常の状態から第１の情報層１８を活性化状態に変えることになる。
【００３５】
図５は、本発明に準拠する情報提示装置１６の第２の実施形態の構造の側面図を示す。第１の実施形態における場合のように、本例では、第１の情報層１８と第２の情報層２２並びに光源２６が設けられる。しかし、本実施形態では、第１の情報層１８は周辺光も透過する。すなわち、周辺光は第１の情報層１８の中を通り抜ける。このため、２つの情報層の間に半透明層３２が設けられる。この半透明層は、第１の情報層１８の中を通り抜ける光を反射するが、第１の光源２６から到来する光は第２の情報層２２を経由して透過する。
【００３６】
図６と図７は、それぞれ低い周辺光条件と高い周辺光条件とが優勢である場合の、第２の実施形態の第１と第２の情報層の側面図を示す。ここで周辺光２８は、第１の情報層１８の中を通り抜け、反射層３２から反射される。そして、第１の光源からの光３０は層２２と１８の中を通り抜ける間に、第１の層１８の中を通って元へ戻る。低い周辺光条件が優勢であれば、第１の情報層１８の第１の情報構造２０は変らない。高い周辺光条件が優勢であるとき、すなわち、周辺光が、十分に高い強度を持つ活性化波長を有する光を含むとき、提示のために色を変えるか、薄い色がつけられる間、第１の情報構造２０は見えなくなる。双方の場合、周辺光は第１の情報層を２回通り抜けることになる。
【００３７】
第１と第２の実施形態の双方に従う本発明は複数の利点を有する。第１と第２の情報提示構造が同じ構造であれば、高い周辺光条件で提示される記号をこの構造の中に示すことが可能となり、これは、戸外での装置の使用を容易にすることになる。これらの記号は、この例では、例えばＭＰ３プレイヤに関連する各種の起動ボタンであってもよい。第１と第２の情報構造に提示される情報を互いに異なるものとすることもさらに可能である。キーに関連づけられた異なるセットの機能を異なる照度条件で使用する場合に、上記を利用することができる。その場合、低い周辺光条件はオフィスでの使用を意図し、高い周辺光条件は、オフィスでの使用とは異なるレジャーでの使用を意図することが可能となる。第１の情報構造を第１の情報構造の上へ重ね合わせて、この情報構造を修正するようにし、例えば、第２の情報構造の神秘的な又は装飾的な効果を与えるように意図することがさらに可能となる。
【００３８】
本発明のさらなる利点として、本発明が追加の電力の使用を伴うことなくこれらの効果を与えるものであるという点が挙げられる。本発明は、実施がシンプルでかつ安価でもある。というのは、限られた数の追加の要素しか必要としないからである。
【００３９】
図８は本発明に係る装置の第３の実施形態の側面図を示す図である。この実施形態では、写真着色材料の第３の情報提示構造３８を有する第３の情報層３６が提供される。この第３の情報層３６は、第１の情報層１８と第２の情報層２２との間に設けられ、プラスチック材料から成るものであってもよい。この例では、第１の情報層１８は常に透過されるのに対して、第３の情報層３６は、第３の情報層３６を活性化する第２の特定の波長を有する十分に強い光の強さを含む場合には、周辺光を透過せず、かつ、上記光の強さを含まない場合には、周辺光を透過する。第３の情報層３６の上へＵＶ光を放射するＵＶ放射用ＬＥＤ等のＵＶ光源が第２の光源３８としてさらに設けられる。その場合、放射されるＵＶ光は第３の層３６を活性化するのに十分に強い強度を持つ、第２の波長を有する光を含むものとなる。しかし、第２の光源は決してＵＶ光源に限定されるものではなく、第３の層を活性化する波長の光を提供する任意の光源であってもよい。この実施形態の変更例によれば、第３の情報層は透過される。この場合、その構造は第３と第２の情報層との間に半反射層を含む。この第３の実施形態によれば、第３の情報提示構造をユーザへ提供することも可能になる。この実施形態は、第３の情報構造をユーザへ提示するさらなる利点を有するものであり、第１と第２の層に提供される同一情報に対する効果を生みだすために、この実施形態を利用することができる。この実施形態は、優勢な高い周辺光条件が存在しない場合、第２の情報構造に対する効果を生みだすのに利用することもできる。代替例として、図８の構造から第２の層を取り除き、図８で第３の層が有している機能に加えて、第２の層の機能を第３の層に引き継がせるようにすることも可能である。また、第３の層を取り除き、第２の光源に第２の層上へ光を放射させ、第２の層の元来の機能に加えて、第３の層の機能を第２の層に引き継がせるようにすることも可能である。
【００４０】
第３の層は、第１の層の場合と同様に本図に記載され、適切な放射に起因して写真着色材料が見た目を変化させたとき、アクテイブな状態になるように規定される。そして、材料の形状が変わっていなければ、第３の層は通常の状態にある。
【００４１】
図９は本発明に係る装置の第４の実施形態の側面図を示す。本図で、第１の情報層１８は、すべての光を透過するタイプのものであるが、第１の情報層１８は第２の光源３８及び半反射層３２と組み合わされる。これによって、周辺が暗いときにも、第１の情報層の情報の提供が可能となる。この実施形態の代替例として、第１の情報層は、写真着色材料を活性化する波長を有する光が十分に高い強度を含む場合には、光を透過させないようにすることがさらに可能である。
【００４２】
第３の情報層は、第３と第４の実施例の双方において、第１の層と同じ波長に対して、又は、別の或る波長に対して見た目を変えることができる。
【００４３】
本発明によれば、すべての情報が第１の情報層を経由してユーザに提示されることが理解されよう。これを可能にするために、異なる層を互いに接して並べて提供するか、あるいは、他の任意の適切な関係を有するように提供することができる。しかし、光ガイド、ミラー及び別の光学素子の使用を通じて所望の効果を得ることが可能であるため、層の実際の配置は本質的に重要な要件とはならない。第２と第３の情報層を配置して、第２と第３の情報層の情報を第１の情報層を通してユーザに提示できるようにすれば十分である。
【図面の簡単な説明】
【００４４】
【図１】セルラ電話機の形の携帯用電子装置の正面図を概略的に示す図である。
【図２】図１の携帯用電子装置のキーのための情報提示装置の第１の実施形態を概略的に示す図である。
【図３】低い周辺光条件で第１の実施形態に従う装置の機能を概略的に示す図である。
【図４】高い周辺光条件で第１の実施形態に従う装置の機能を概略的に示す図である。
【図５】図１の携帯用電子装置のキーのための情報提示装置の第２の実施形態を概略的に示す図である。
【図６】低い周辺光条件で第２の実施形態に従う装置の機能を概略的に示す図である。
【図７】高い周辺光条件で第２の実施形態に従う装置の機能を概略的に示す図である。
【図８】図１の携帯用電子装置のキーのための情報提示装置の第３の実施形態を概略的に示す図である。
【図９】図１の携帯用電子装置のキーのための情報提示装置の第４の実施形態を概略的に示す図である。
【図１】
2009511971.tif 000003
【図２】
2009511971.tif 000004
【図３】
2009511971.tif 000005
【図４】
2009511971.tif 000006
【図５】
2009511971.tif 000007
【図６】
2009511971.tif 000008
【図７】
2009511971.tif 000009
【図８】
2009511971.tif 000010
【図９】
2009511971.tif 000011
【国際調査報告】
2009511971.tif 000012
2009511971.tif 000013